(57)【要約】【課題】この発明は、多種多様な絵柄の映像に対して常に一定の品質を保った輪郭補正効果を生じさせることを可能とし、しかも簡易な構成で十分に実用に適するようにした映像信号処理装置及び映像信号処理方法を提供することを目的としている。【解決手段】入力輝度信号（Ｙ）の高域成分を抽出する抽出手段（４３）と、輝度信号（Ｙ）の高域成分から、１フレーム分に対応する振幅レベル別の帯域ヒストグラムデータ（Ｐ０〜Ｐｍ）を取得する取得手段（４４）と、入力輝度信号（Ｙ）に対して、外部から与えられるゲイン値に基づいた輪郭補正処理のためのゲイン制御を施す制御手段（４８１〜４８ｎ）と、取得された各帯域ヒストグラムデータ（Ｐ０〜Ｐｍ）に基づいて、制御手段（４８１〜４８ｎ）に与えるゲイン値を生成する生成手段（４５）とを備える。【選択図】      図３
2009201036.tif 000002
【特許請求の範囲】
【請求項１】
輝度信号が入力される入力手段と、
前記入力手段に入力された輝度信号から高域成分を抽出する抽出手段と、
前記抽出手段で抽出された輝度信号の高域成分から、１フレーム分に対応する振幅レベル別の帯域ヒストグラムデータを取得する帯域ヒストグラム取得手段と、
前記入力手段に入力された輝度信号に対して、外部から与えられるゲイン値に基づいた輪郭補正処理のためのゲイン制御を施す制御手段と、
前記帯域ヒストグラム取得手段で取得された各帯域ヒストグラムデータに基づいて、前記制御手段に与えるゲイン値を生成する生成手段とを具備することを特徴とする映像信号処理装置。
【請求項２】
前記生成手段は、
前記帯域ヒストグラム取得手段で取得された各帯域ヒストグラムデータにそれぞれ所定の係数を乗算し、各乗算結果を総加算する演算手段を備え、
前記演算手段で算出された総加算値に基づいて、前記制御手段に与えるゲイン値を生成することを特徴とする請求項１記載の映像信号処理装置。
【請求項３】
前記生成手段は、
前記演算手段で算出される総加算値と前記制御手段に与えるゲイン値とを対応させたテーブルを備え、
前記演算手段で算出される総加算値から前記テーブルを参照して前記制御手段に与えるゲイン値を取得することを特徴とする請求項２記載の映像信号処理装置。
【請求項４】
前記生成手段は、
前記演算手段で算出される総加算値の取り得る値を複数の範囲に分割し、各範囲それぞれに前記制御手段に与えるゲイン値を対応付けたテーブルを備え、
前記演算手段で算出された総加算値が、前記テーブルの所定の範囲内のどこに含まれるかによって、当該総加算値が含まれる範囲のゲイン値に、その総加算値の前または後に存在する範囲のゲイン値を含めた演算処理を施して、前記制御手段に与えるゲイン値を生成することを特徴とする請求項２記載の映像信号処理装置。
【請求項５】
前記入力手段に入力された輝度信号を、前記生成手段によるゲイン値生成処理に要する時間分遅延させて、前記制御手段に供給する遅延手段を具備することを特徴とする請求項１記載の映像信号処理装置。
【請求項６】
前記制御手段は、
前記入力手段に入力された輝度信号から相互に異なる帯域成分を抽出する複数の微分手段と、
前記複数の微分手段から出力される各帯域成分の信号に対して、それぞれ外部から与えられるゲイン値に基づいた輪郭補正処理のためのゲイン制御を施す複数のゲイン制御手段とを備え、
前記生成手段は、前記帯域ヒストグラム取得手段で取得された各帯域ヒストグラムデータに基づいて、前記制御手段の備える前記複数のゲイン制御手段に与えるゲイン値をそれぞれ生成することを特徴とする請求項１記載の映像信号処理装置。
【請求項７】
前記入力手段に入力された輝度信号から、１フレーム分に対応する輝度レベル別の輝度ヒストグラムデータを取得する輝度ヒストグラム取得手段を備え、
前記生成手段は、前記帯域ヒストグラム取得手段で取得された各帯域ヒストグラムデータと、前記輝度ヒストグラム取得手段で取得された各輝度ヒストグラムデータとに基づいて、前記制御手段に与えるゲイン値を生成することを特徴とする請求項１記載の映像信号処理装置。
【請求項８】
前記生成手段は、
前記帯域ヒストグラム取得手段で取得された各帯域ヒストグラムデータにそれぞれ所定の係数を乗算し、各乗算結果を総加算する第１の演算手段と、
前記輝度ヒストグラム取得手段で取得された各輝度ヒストグラムデータからそれぞれ所定のしきい値を減算し、各減算結果を総加算する第２の演算手段とを備え、
前記第１の演算手段で算出された総加算値と前記第２の演算手段で算出された総加算値とを乗算した結果に基づいて、前記制御手段に与えるゲイン値を生成することを特徴とする請求項７記載の映像信号処理装置。
【請求項９】
輝度信号を入力する工程と、
入力された輝度信号から高域成分を抽出する工程と、
抽出された輝度信号の高域成分から、１フレーム分に対応する振幅レベル別の帯域ヒストグラムデータを取得する工程と、
入力された輝度信号に対して、外部から与えられるゲイン値に基づいた輪郭補正処理のためのゲイン制御を施す工程と、
取得された各帯域ヒストグラムデータに基づいて、前記ゲイン制御のためのゲイン値を生成する工程とを具備することを特徴とする映像信号処理方法。
【発明の詳細な説明】
【技術分野】
【０００１】
この発明は、輝度のヒストグラムに基づいて輝度信号に輪郭補正処理を施す映像信号処理装置及び映像信号処理方法の改良に関する。
【背景技術】
【０００２】
周知のように、近年では、フラットパネル型の大画面ディスプレイが開発され、カラーテレビジョン放送受信装置等に実用化されている。そして、この種の大画面ディスプレイでは、表示映像を鮮明に見せるために、映像信号の輝度成分に対して輪郭補正処理を施すことが行なわれている。
【０００３】
このような輝度成分に対する輪郭補正処理としては、入力映像信号の輝度のヒストグラム分布に合わせて行なう手法が知られている。この手法の基本的な考え方は、１画面分の映像から輝度レベルのヒストグラムを生成し、その輝度ヒストグラムに基づいて輝度信号の輪郭成分のレベルを可変することである。
【０００４】
ところで、上記した輪郭補正手段は、まだまだ開発途上にある段階であって、昨今の多種多様に変化する絵柄の映像ソースに対しては、過度の輪郭補正効果を発生させたり、逆に必要な部分の輪郭補正効果が弱くなったりする等の事態が生じ、十分に実用に適するものであるとは言えないのが現状である。
【０００５】
特許文献１には、入力映像信号の輪郭成分をフィルタ回路により抽出した後、その抽出した輪郭成分のヒストグラムに応じて、輪郭成分の振幅を可変する輪郭成分非線形処理部の輪郭強調量を制御し、輪郭成分非線形処理部の出力と入力映像信号とを加算するようにした映像表示装置の構成が開示されている。
【特許文献１】特開２００６−０１３７３５号公報
【発明の開示】
【発明が解決しようとする課題】
【０００６】
そこで、この発明は上記事情を考慮してなされたもので、多種多様な絵柄の映像に対して常に一定の品質を保った輪郭補正効果を生じさせることを可能とし、しかも簡易な構成で十分に実用に適するようにした映像信号処理装置及び映像信号処理方法を提供することを目的とする。
【課題を解決するための手段】
【０００７】
この発明に係る映像信号処理装置は、輝度信号が入力される入力手段と、入力手段に入力された輝度信号から高域成分を抽出する抽出手段と、抽出手段で抽出された輝度信号の高域成分から、１フレーム分に対応する振幅レベル別の帯域ヒストグラムデータを取得する帯域ヒストグラム取得手段と、入力手段に入力された輝度信号に対して、外部から与えられるゲイン値に基づいた輪郭補正処理のためのゲイン制御を施す制御手段と、帯域ヒストグラム取得手段で取得された各帯域ヒストグラムデータに基づいて、制御手段に与えるゲイン値を生成する生成手段とを備えるようにしたものである。
【０００８】
また、この発明に係る映像信号処理方法は、輝度信号を入力する工程と、入力された輝度信号から高域成分を抽出する工程と、抽出された輝度信号の高域成分から、１フレーム分に対応する振幅レベル別の帯域ヒストグラムデータを取得する工程と、入力された輝度信号に対して、外部から与えられるゲイン値に基づいた輪郭補正処理のためのゲイン制御を施す工程と、取得された各帯域ヒストグラムデータに基づいて、ゲイン制御のためのゲイン値を生成する工程とを備えるようにしたものである。
【発明の効果】
【０００９】
上記した発明によれば、輝度信号の高域成分から１フレーム分に対応する振幅レベル別の帯域ヒストグラムデータを取得し、その各帯域ヒストグラムデータに基づいて、輝度信号に輪郭補正処理のためのゲイン制御を施す制御手段に与えるゲイン値を生成するようにしたので、多種多様な絵柄の映像に対して常に一定の品質を保った輪郭補正効果を生じさせることを可能とし、しかも簡易な構成で十分に実用に適するようになる。
【発明を実施するための最良の形態】
【００１０】
以下、この発明の実施の形態について図面を参照して詳細に説明する。図１は、この実施の形態で説明するテレビジョン放送受信装置１１の映像信号処理系を概略的に示している。
【００１１】
すなわち、デジタルテレビジョン放送受信用のアンテナ１２で受信したデジタルテレビジョン放送信号は、入力端子１３を介して選局復調部１４に供給される。この選局復調部１４は、入力されたデジタルテレビジョン放送信号から所望のチャンネルの放送信号を選局し、その選局された信号を復調してデコーダ１５に出力している。
【００１２】
そして、このデコーダ１５は、選局復調部１４から入力された信号にデコード処理を施すことにより、デジタルの輝度信号Ｙ及び色信号Ｃｂ／Ｃｒをそれぞれ生成して、セレクタ１６に出力している。
【００１３】
また、アナログテレビジョン放送受信用のアンテナ１７で受信したアナログテレビジョン放送信号は、入力端子１８を介して選局復調部１９に供給される。この選局復調部１９では、入力されたアナログテレビジョン放送信号から所望のチャンネルの放送信号を選局し、その選局された信号を復調してアナログの輝度信号Ｙ及び色信号Ｃｂ／Ｃｒをそれぞれ生成している。
【００１４】
そして、この選局復調部１９で生成されたアナログの輝度信号Ｙ及び色信号Ｃｂ／Ｃｒは、Ａ／Ｄ（analog／digital）変換部２０に供給されてデジタルの輝度信号Ｙ及び色信号Ｃｂ／Ｃｒに変換された後、上記セレクタ１６に出力される。
【００１５】
また、アナログ映像信号用の外部入力端子２１に供給されたアナログの輝度信号Ｙ及び色信号Ｃｂ／Ｃｒは、Ａ／Ｄ変換部２２に供給されてデジタルの輝度信号Ｙ及び色信号Ｃｂ／Ｃｒに変換された後、上記セレクタ１６に出力される。さらに、デジタル映像信号用の外部入力端子２３に供給されたデジタルの輝度信号Ｙ及び色信号Ｃｂ／Ｃｒは、そのまま上記セレクタ１６に供給される。
【００１６】
ここで、このセレクタ１６は、デコーダ１５、Ａ／Ｄ変換部２０，２２及び外部入力端子２３からそれぞれ供給されるデジタルの輝度信号Ｙ及び色信号Ｃｂ／Ｃｒから１組を選択して、映像信号処理部２４に供給している。
【００１７】
この映像信号処理部２４は、詳細は後述するが、入力されたデジタルの輝度信号Ｙ及び色信号Ｃｂ／Ｃｒに対して所定の信号処理を施すことにより、Ｒ（red），Ｇ（green），Ｂ（blue）信号を生成している。
【００１８】
そして、この映像信号処理部２４で生成されたＲ，Ｇ，Ｂ信号が、映像表示部２５に供給されて映像表示に供される。なお、この映像表示部２５としては、例えば表面電界ディスプレイ、液晶ディスプレイやプラズマディスプレイ等でなるフラットパネルディスプレイが採用される。
【００１９】
ここで、このテレビジョン放送受信装置１１は、上記した各種の受信動作を含む種々の動作を制御部２６によって統括的に制御されている。この制御部２６は、ＣＰＵ（central processing unit）等を内蔵したマイクロプロセッサであり、図示しないリモートコントローラを含む操作部２７からの操作情報を受けて、その操作内容が反映されるように各部をそれぞれ制御している。
【００２０】
この場合、制御部２６は、主として、そのＣＰＵが実行する制御プログラムを格納したＲＯＭ（read only memory）２８と、該ＣＰＵに作業エリアを提供するためのＲＡＭ（random access memory）２９と、各種の設定情報及び制御情報等が格納される不揮発性メモリ３０とを利用している。
【００２１】
図２は、上記映像信号処理部２４の一例を示している。すなわち、上記セレクタ１６で選択されたデジタルの輝度信号Ｙ及び色信号Ｃｂ／Ｃｒは、入力端子３１ａ，３１ｂを介してＩＰ（interlace progressive）変換・スケーリング処理部３２に供給される。
【００２２】
このＩＰ変換・スケーリング処理部３２は、入力された輝度信号Ｙ及び色信号Ｃｂ／Ｃｒに対して、映像表示部２５（表面電界ディスプレイ、液晶ディスプレイやプラズマディスプレイ等でなるフラットパネルディスプレイ）で表示を行なうためにプログレッシブ変換処理及びスケーリング処理を施して、エンハンサ処理部３３に出力している。
【００２３】
このエンハンサ処理部３３は、入力された輝度信号Ｙ及び色信号Ｃｂ／Ｃｒに対して、垂直及び水平方向の立ち上がりを急峻にしたり、または、シャープネスを変えたりするエンハンサ処理を施して、信号補正部３４に出力している。
【００２４】
この信号補正部３４は、入力された輝度信号Ｙに対して輪郭補正処理を施すとともに、その輪郭補正処理に伴なって色信号Ｃｂ／Ｃｒに振幅制御処理を施し、色空間変換部３５に出力している。
【００２５】
この色空間変換部３５は、入力された輝度信号Ｙ及び色信号Ｃｂ／ＣｒをＲ，Ｇ，Ｂ信号に変換し、ＲＧＢガンマ補正部３６に出力している。このＲＧＢガンマ補正部３６は、入力されたＲ，Ｇ，Ｂ信号に対して、ホワイトバランス調整を施すとともに、上記映像表示部２５に対するガンマ補正処理を施し、ディザ処理部３７に出力している。
【００２６】
そして、このディザ処理部３７が、入力されたＲ，Ｇ，Ｂ信号に対して、表現力を増すためにビット数の拡張された高階調のビット表現を、映像表示部２５に対応した低階調のビット数に変換する圧縮処理を施した後、出力端子３８，３９，４０を介して映像表示部２５に出力している。
【００２７】
図３は、上記信号補正部３４の中で、輝度信号Ｙに対して輪郭補正処理を施す部分の一例を示している。すなわち、上記エンハンサ処理部３３から出力された輝度信号Ｙは、入力端子４１を介した後、フレームメモリ４２に１フレーム分が保持されるとともに、ＨＰＦ（high pass filter）４３に供給される。
【００２８】
このＨＰＦ４３は、入力された輝度信号Ｙからハイビジョン帯域成分を通過させるように設定されている。これにより、ＨＰＦ４３の出力は、入力された輝度信号Ｙの周波数帯域が高いとき振幅レベルが高くなり、入力された輝度信号Ｙの周波数帯域が低くなるに連れて振幅レベルが低くなって、直流成分が入力されたとき振幅レベルが０となる。
【００２９】
そして、上記ＨＰＦ４３の出力は、振幅レベル別の帯域ヒストグラム取得部４４に供給される。この帯域ヒストグラム取得部４４は、１フレーム分の輝度信号Ｙについて、ＨＰＦ４３から出力される帯域の画素を振幅レベル別にそれぞれカウントして、帯域ヒストグラムデータを取得している。
【００３０】
具体的に言えば、帯域ヒストグラム取得部４４は、ＨＰＦ４３の出力の振幅レベルをＡとすると、Ａ＝０の画素数Ｐ０をカウントする検出部４４０、０＜Ａ≦Ｋ１の画素数Ｐ１をカウントする検出部４４１、Ｋ１＜Ａ≦Ｋ２の画素数Ｐ２をカウントする検出部４４２、……、Ｋ（ｍ−１）＜Ａ≦Ｋｍの画素数Ｐｍをカウントする検出部４４ｍを備え、各検出部４４０〜４４ｍのカウント結果をそれぞれ帯域ヒストグラムデータとして解析制御部４５に出力している。
【００３１】
この場合、上記ＨＰＦ４３の出力は、交流であるため、図４に示すように、正負の振幅レベルを有するが、帯域ヒストグラム取得部４４の各検出部４４０〜４４ｍは、絶対値で振幅レベルの判別を行なって画素数Ｐ０〜Ｐｍのカウントを行なうようにしている。
【００３２】
これにより、図５に示すように、上記ＨＰＦ４３から出力される１フレーム分の輝度信号Ｙの高域成分に対して、振幅レベル別の画素数Ｐ０〜Ｐｍを表わす帯域ヒストグラムデータを取得することができる。このため、解析制御部４５では、輪郭補正処理の対象となっているフレーム映像が、どのような周波数帯域の信号により構成されているかを判別することが可能となる。
【００３３】
一方、再び図３に示すように、上記フレームメモリ４２に保持された１フレーム分の輝度信号Ｙは、加算部４６に供給されるとともに、複数の２次微分回路４７１，４７２，……，４７ｎにそれぞれ供給される。これら２次微分回路４７１〜４７ｎは、上記輝度信号Ｙから高域成分を抽出するフィルタであり、相互に通過帯域周波数が異なっている。
【００３４】
この場合、２次微分回路４７１の通過帯域周波数が最も低く、２次微分回路４７２，４７３，……と通過帯域周波数が順次高くなり、２次微分回路４７ｎの通過帯域周波数が最も高くなるように設定されている。なお、２次微分回路４７１〜４７ｎは、その通過帯域周波数の一部が上記ＨＰＦ４３の通過帯域周波数と重なっていてもいなくても良いものである。
【００３５】
そして、各２次微分回路４７１〜４７ｎから出力される輝度信号Ｙの高域成分は、それぞれ対応するゲイン制御部４８１，４８２，……，４８ｎに供給されている。これらゲイン制御部４８１〜４８ｎは、それぞれ、対応する２次微分回路４７１〜４７ｎからの出力に対して、上記解析制御部４５から供給されるゲイン制御信号に基づいたゲイン制御を施し、上記加算部４６に出力している。
【００３６】
この場合、上記解析制御部４５は、詳細は後述するが、帯域ヒストグラム取得部４４で取得された各帯域ヒストグラムデータに基づいて、各ゲイン制御部４８１〜４８ｎそれぞれに与えるゲイン制御信号を生成している。すなわち、各ゲイン制御部４８１〜４８ｎは、それぞれ対応する２次微分回路４７１〜４７ｎによって抽出された輝度信号Ｙの各高域成分に対して、個別に生成されたゲイン制御信号によって独立にゲイン制御を施している。
【００３７】
そして、上記加算部４６は、各ゲイン制御部４８１〜４８ｎの出力を上記フレームメモリ４２から供給される輝度信号Ｙに加算する。これにより、輝度信号Ｙに輪郭補正処理が施されることになり、このようにして輪郭補正処理が施された輝度信号Ｙが、出力端子４９を介して上記色空間変換部３５に出力される。
【００３８】
なお、上記フレームメモリ４２は、解析制御部４５における処理時間分、２次微分回路４７１〜４７ｎへの輝度信号Ｙの供給を遅延させる機能を有する。これにより、ゲイン制御部４８１〜４８ｎでのゲイン制御信号に基づくゲイン制御が、そのゲイン制御信号を生成した時点の輝度信号Ｙに対応したタイミングで正しく行なわれるようにしている。
【００３９】
図６は、上記解析制御部４５が帯域ヒストグラム取得部４４で取得された各帯域ヒストグラムデータに基づいて、各ゲイン制御部４８１〜４８ｎそれぞれに与えるゲイン制御信号を生成する処理動作の一例をまとめたフローチャートを示している。すなわち、処理が開始（ステップＳ１）されると、解析制御部４５は、ステップＳ２で、帯域ヒストグラム取得部４４の各検出部４４０〜４４ｍから帯域ヒストグラムデータ（画素数Ｐ０〜Ｐｍ）を取得する。
【００４０】
そして、解析制御部４５は、ステップＳ３で、先に取得した各帯域ヒストグラムデータＰ０〜Ｐｍに対して予め設定された係数を乗算する。この係数としては、各帯域ヒストグラムデータＰ０，Ｐ１，Ｐ２，……，Ｐｍに対して、例えば０，１，２，……，ｍが対応的に設定される。これにより、Ｐ０×０、Ｐ１×１、Ｐ２×２、……、Ｐｍ×ｍなる乗算処理、つまり、低い振幅レベルに対応する帯域ヒストグラムデータを削減し、高い振幅レベルに対応する帯域ヒストグラムデータを増大させる処理が行なわれる。その後、解析制御部４５は、ステップＳ４で、帯域ヒストグラムデータＰ０〜Ｐｍと対応する係数０〜ｍとの各乗算結果を総加算する。
【００４１】
次に、解析制御部４５は、ステップＳ５で、先の総加算結果から各ゲイン制御部４８１〜４８ｎに与えるゲイン値をそれぞれ生成し、その生成した各ゲイン値を上記したゲイン制御信号として各ゲイン制御部４８１〜４８ｎに供給して、処理を終了（ステップＳ６）する。
【００４２】
この場合、帯域ヒストグラムデータＰ０〜Ｐｍと係数０〜ｍとの各乗算結果の総加算値と、各ゲイン制御部４８１〜４８ｎに与えるゲイン値との関係は、図７に示すように、予めテーブル化されて前記ＲＯＭ２８等に格納されている。そして、解析制御部４５は、帯域ヒストグラムデータＰ０〜Ｐｍと係数０〜ｍとの各乗算結果の総加算値を算出すると、その算出された総加算値に対応した、各ゲイン制御部４８１〜４８ｎに与えるゲイン値をテーブルから読み取る。その後、解析制御部４５は、テーブルから読み取った各ゲイン値を示すゲイン制御信号を生成し、対応するゲイン制御部４８１〜４８ｎに供給する。
【００４３】
ここで、帯域ヒストグラムデータＰ０〜Ｐｍと係数０〜ｍとの各乗算結果の総加算値が小さい場合には、輝度信号Ｙの周波数帯域が全体的に低い、つまり、輪郭が明確でないと判断される。このため、通過帯域周波数が最も低い２次微分回路４７１の出力が供給されるゲイン制御部４８１に与えるゲイン値が最も高く、ゲイン制御部４８２，４８３，……の順でゲイン値が順次低くなり、通過帯域周波数が最も高い２次微分回路４７ｎの出力が供給されるゲイン制御部４８ｎに与えるゲイン値が最も低くなるように設定されている。
【００４４】
また、帯域ヒストグラムデータＰ０〜Ｐｍと係数０〜ｍとの各乗算結果の総加算値が大きい場合、輝度信号Ｙの周波数帯域が全体的に高い、つまり、輪郭が明確になっていると判断される。この場合には、過度な輪郭補正が行なわれないように、各ゲイン制御部４８１〜４８ｎに与えるゲイン値の大小関係は上記のままで、ゲイン値そのものを低くするように設定されている。
【００４５】
上記した実施の形態によれば、ＨＰＦ４３によって抽出された輝度信号Ｙの高域成分から、振幅レベル別の画素数Ｐ０〜Ｐｍを表わす帯域ヒストグラムデータを取得している。この帯域ヒストグラムデータは、輝度信号Ｙの周波数帯域に対応するため、当該帯域ヒストグラムデータに基づいて輝度信号Ｙに対して輪郭補正処理を施すためのゲイン値を設定することができる。これにより、多種多様な絵柄の映像に対して常に一定の品質を保った輪郭補正効果を生じさせることが可能となる。
【００４６】
また、輝度信号Ｙから帯域ヒストグラムを取得するために、フィルタとして１つのＨＰＦ４３を用いるだけで済むため、構成も簡易で十分に実用に適するものとなる。
【００４７】
さらに、相互に通過帯域周波数が異なる複数の２次微分回路４７１〜４７ｎから出力される輝度信号Ｙの高域成分に対して、それぞれ対応するゲイン制御部４８１，４８２，……，４８ｎにより、帯域ヒストグラムデータに基づいて生成されたゲイン値でゲイン制御を施すようにしているため、多種多様な絵柄の映像に対して常に一定の品質を保った輪郭補正効果を生じさせることができる。
【００４８】
なお、上記した実施の形態では、解析制御部４５は、帯域ヒストグラムデータＰ０〜Ｐｍと係数０〜ｍとの各乗算結果の総加算値が、例えば“１００１〜２０００（１６進）”の範囲内にあるとした場合、その範囲に対応して図７に示したテーブルに記述されているゲイン値Ｇ１１〜Ｇ１ｎを、それぞれ対応するゲイン制御部４８１〜４８ｎに与えるようにしている。
【００４９】
これに対し、総加算値が例えば“１００１〜２０００（１６進）”の範囲内のどこにあるか、つまり、中央部にあるか、“１００１”に近い部分にあるか、“２０００”に近い部分にあるか等によって、ゲイン値Ｇ１１〜Ｇ１ｎにその前後のゲイン値を考慮した演算を行ない、その算出されたゲイン値を対応するゲイン制御部４８１〜４８ｎに与えるようにしてもよいものである。
【００５０】
例えば、ゲイン制御部４８１に与えるゲイン値について考えると、総加算値が“１００１”に近いほど、本来のゲイン値Ｇ１１に対して、その前のゲイン値Ｇ０１の影響が強くなるような演算を行なって得られたゲイン値をゲイン制御部４８１に与える。また、総加算値が“１００１〜２０００”の中央部に近いほど、本来のゲイン値Ｇ１１の影響を強く残したゲイン値をゲイン制御部４８１に与える。さらに、総加算値が“２０００”に近いほど、本来のゲイン値Ｇ１１に対して、その後のゲイン値Ｇ２１の影響が強くなるような演算を行なって得られたゲイン値をゲイン制御部４８１に与える。このようにすれば、より一層細かいゲイン制御が行なえるため、輪郭補正の効果を高めることができる。
【００５１】
図８は、上記した信号補正部３４の中で、輝度信号Ｙに輪郭補正処理を施す部分の他の例を示している。図８において、図３と同一部分には同一符号を付して説明すると、入力端子４１に供給された輝度信号Ｙは、輝度レベル別の輝度ヒストグラム取得部５０に供給される。この輝度ヒストグラム取得部５０は、１フレーム分の輝度信号Ｙの画素を輝度レベル別にそれぞれカウントして、輝度ヒストグラムデータを取得している。
【００５２】
これにより、輝度ヒストグラム取得部５０では、図９に示すように、１フレーム分の輝度信号Ｙに対して、輝度レベル別の画素数Ｑ０〜Ｑｓを表わす輝度ヒストグラムデータを取得することができる。この輝度ヒストグラム取得部５０で取得した輝度ヒストグラムデータは、上記解析制御部４５に供給される。
【００５３】
そして、この解析制御部４５では、上記帯域ヒストグラム取得部４４で取得した帯域ヒストグラムデータと、輝度ヒストグラム取得部５０で取得した輝度ヒストグラムデータとに基づいて、各ゲイン制御部４８１〜４８ｎそれぞれに与えるゲイン制御信号を生成している。
【００５４】
図１０は、上記解析制御部４５が帯域ヒストグラム取得部４４で取得された帯域ヒストグラムデータと、輝度ヒストグラム取得部５０で取得した輝度ヒストグラムデータとに基づいて、各ゲイン制御部４８１〜４８ｎそれぞれに与えるゲイン制御信号を生成する処理動作の一例をまとめたフローチャートを示している。
【００５５】
すなわち、処理が開始（ステップＳ７）されると、まず、解析制御部４５は、ステップＳ８で、帯域ヒストグラム取得部４４の各検出部４４０〜４４ｍから帯域ヒストグラムデータ（画素数Ｐ０〜Ｐｍ）を取得する。
【００５６】
そして、解析制御部４５は、ステップＳ９で、先に取得した各帯域ヒストグラムデータＰ０〜Ｐｍに対して予め設定された係数を乗算する。この係数としては、各帯域ヒストグラムデータＰ０，Ｐ１，Ｐ２，……，Ｐｍに対して、例えば０，１，２，……，ｍが対応的に設定される。
【００５７】
これにより、Ｐ０×０、Ｐ１×１、Ｐ２×２、……、Ｐｍ×ｍなる乗算処理、つまり、低い振幅レベルに対応する帯域ヒストグラムデータを削減し、高い振幅レベルに対応する帯域ヒストグラムデータを増大させる処理が行なわれる。その後、解析制御部４５は、ステップＳ１０で、帯域ヒストグラムデータＰ０〜Ｐｍと対応する係数０〜ｍとの各乗算結果を総加算する。
【００５８】
また、処理が開始（ステップＳ７）されると、上記ステップＳ８〜Ｓ１０の処理に平行して、解析制御部４５は、ステップＳ１１で、輝度ヒストグラム取得部５０から輝度ヒストグラムデータ（画素数Ｑ０〜Ｑｓ）を取得する。そして、解析制御部４５は、ステップＳ１２で、先に取得した各輝度ヒストグラムデータＱ０〜Ｑｓから、予め設定されたしきい値Ｔを減算する。その後、解析制御部４５は、ステップＳ１３で、減算結果が負となった輝度ヒストグラムデータは０として、各輝度ヒストグラムデータＱ０〜Ｑｓからしきい値Ｔを減算した各結果を総加算する。
【００５９】
そして、解析制御部４５は、ステップＳ１４で、ステップＳ１０で得られた帯域ヒストグラムデータＰ０〜Ｐｍと対応する係数０〜ｍとの各乗算結果の総加算値と、ステップＳ１３で輝度ヒストグラムデータＱ０〜Ｑｓからしきい値Ｔを減算した各結果の総加算値とを乗算する。
【００６０】
その後、解析制御部４５は、ステップＳ１５で、ステップＳ１４による乗算結果から各ゲイン制御部４８１〜４８ｎに与えるゲイン値をそれぞれ生成し、その生成した各ゲイン値を上記したゲイン制御信号として各ゲイン制御部４８１〜４８ｎに供給して、処理を終了（ステップＳ１６）する。
【００６１】
この場合、ステップＳ１４による乗算結果から各ゲイン制御部４８１〜４８ｎに与えるゲイン値をそれぞれ生成する手法は、ステップＳ１４による乗算結果を、図７に示したテーブルの総加算値に当てはめることで、各ゲイン制御部４８１〜４８ｎに与えるゲイン値を取得することができる。
【００６２】
図８に示した輪郭補正処理手段によれば、１フレーム分の輝度信号Ｙの輝度ヒストグラムデータＱ０〜Ｑｓから所定のしきい値Ｔを減算した各結果の総加算値を、上記帯域ヒストグラムデータＰ０〜Ｐｍに係数０〜ｍを乗算した結果の総加算値に乗算するようにしている。
【００６３】
すなわち、例えば、映像信号としてレターボックス方式やサイドパネル方式のように、画面内の特定の広い領域を無画部分が占めるような信号を入力した場合には、無画部分の面積が大きいために、輪郭補正処理を施すべき高域成分の割合が低下してしまい、所望の輪郭補正効果が得られなくなることがある。
【００６４】
このため、１フレーム分の輝度信号Ｙの輝度ヒストグラムデータＱ０〜Ｑｓから所定のしきい値Ｔを減算した各結果の総加算値、つまり、無画部分の面積に対応した補正係数をを作成し、帯域ヒストグラムデータＰ０〜Ｐｍに係数０〜ｍを乗算した結果の総加算値に乗算することにより、無画部分を除く高域成分に対して十分な輪郭補正効果が得られるようにしている。
【００６５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６６】
【図１】この発明の実施の形態を示すもので、テレビジョン放送受信装置の映像信号処理系を説明するために示すブロック構成図。
【図２】同実施の形態におけるテレビジョン放送受信装置の映像信号処理部の詳細を説明するために示すブロック構成図。
【図３】同実施の形態における映像信号処理部の信号補正部の一例を説明するために示すブロック構成図。
【図４】同実施の形態における信号補正部の帯域ヒストグラム取得部の動作を説明するために示す図。
【図５】同実施の形態における信号補正部で生成された帯域ヒストグラムデータを説明するために示す図。
【図６】同実施の形態における信号補正部の解析制御部が行なう処理動作の一例を説明するために示すフローチャート。
【図７】同実施の形態における信号補正部の解析制御部が処理動作を行なう際に使用するテーブルの一例を説明するために示す図。
【図８】同実施の形態における映像信号処理部の信号補正部の他の例を説明するために示すブロック構成図。
【図９】同実施の形態における信号補正部の他の例で生成された輝度ヒストグラムデータを説明するために示す図。
【図１０】同実施の形態における信号補正部の他の例で示す解析制御部が行なう処理動作の一例を説明するために示すフローチャート。
【符号の説明】
【００６７】
１１…テレビジョン放送受信装置、１２…アンテナ、１３…入力端子、１４…選局復調部、１５…デコーダ、１６…セレクタ、１７…アンテナ、１８…入力端子、１９…選局復調部、２０…Ａ／Ｄ変換部、２１…外部入力端子、２２…Ａ／Ｄ変換部、２３…外部入力端子、２４…映像信号処理部、２５…映像表示部、２６…制御部、２７…操作部、２８…ＲＯＭ、２９…ＲＡＭ、３０…不揮発性メモリ、３１ａ，３１ｂ…入力端子、３２…ＩＰ変換・スケーリング処理部、３３…エンハンサ処理部、３４…信号補正部、３５…色空間変換部、３６…ＲＧＢガンマ補正部、３７…ディザ処理部、３８〜４０…出力端子、４１…入力端子、４２…フレームメモリ、４３…ＨＰＦ、４４…帯域ヒストグラム取得部、４４０〜４４ｍ…検出部、４５…解析制御部、４６…加算部、４７１〜４７ｎ…２次微分回路、４８１〜４８ｎ…ゲイン制御部、４９…出力端子、５０…輝度ヒストグラム取得部。
【図１】
2009201036.tif 000003
【図２】
2009201036.tif 000004
【図３】
2009201036.tif 000005
【図４】
2009201036.tif 000006
【図５】
2009201036.tif 000007
【図６】
2009201036.tif 000008
【図７】
2009201036.tif 000009
【図８】
2009201036.tif 000010
【図９】
2009201036.tif 000011
【図１０】
2009201036.tif 000012